Podtech/llm-jp-corpus-v4-ja_patent huggingface dataset:
(57)【要約】【課題】特殊な設備機器や合成乳化剤を使用しないで、容易に短時間でカボス精油を水溶性食品へ均一的に分散できる食品素材を製造する方法を確立する。【解決手段】カボス精油を含む食品素材を製造するに当たり、あらかじめカボス精油をアルコールと混合した後、β−サイクロデキストリンに混合させることにより、容易に短時間で安定した混合体を得ることができ、これを水溶液に溶解させることによりカボス精油を均一的に水溶液中に分散させることができる。【特許請求の範囲】
【請求項１】
β−サイクロデキストリンにエチルアルコール（９５，５％）を助剤としてカボス精油を包接させることで、精油を水溶液に均一的に混合させる方法。
【発明の詳細な説明】
【０００１】
【発明の属する技術分野】
本発明は食品加工の分野に属し、カボス精油の乳化及び均質化の技術分野に関する。
【０００２】
【従来の技術とその課題】
食品加工の分野において、親油性物質（カボス精油）と親水性物質を混合することにより、加工品を製造することがあるが、両者の物性上、均一に混合することは容易ではない。
【０００３】
従来は、ホモジナイザーによる均質化を行うが、この方法では、多量の親油性物質（カボス精油）を親水性物質に混合した場合、時間の経過とともに分離が起こり、均質化はできない。
また、他に乳化剤を用いる方法もあるが、近年の消費者の健康志向から、従来より用いられているモノグリセライド等の乳化剤の使用には問題が残る。
【０００４】
近年では、天然物質由来の乳化剤の使用が多くなってきており、その一つがサイクロデキストリンである。親油性物質（カボス精油）をサイクロデキストリンに包接させる方法として、飽和水溶液法、混練法、乾燥法がある。飽和水溶液法は、サイクロデキストリンの飽和水溶液を調製し、親油性物質（カボス精油）を加え混合すると、包接物が沈殿物として得られる。しかし、安定した包接体を得るためには、さらに水分を除去する必要がある。混練法は、サイクロデキストリンに少量の水を加えてペースト状とし、これに親油性物質（カボス精油）を加えて混練し、含水包接体を作るが、安定した包接体を得るためには、乾燥工程が必要となる。乾燥法は、サイクロデキストリンを水に溶解後、親油性物質（カボス精油）を加えてかく拌し、包接体を形成させる。また、この方法においても、安定した包接体を得るためには噴霧乾燥あるいは凍結乾燥を行う必要がある。以上３つの方法には、共通に乾燥工程が必要となるほど作業が繁雑となり、施設も必要なため経済的にも不利である。
【０００５】
【課題を解決するための手段と発明の効果】
本発明者は、上述したような課題を解決するために、あらかじめカボス精油をアルコールと混合した後、これをβ−サイクロデキストリンに混合させることにより、容易に短時間で安定した混合体が得られることを見出した。
上記の方法によると、特殊な機械や設備を利用することなく、また、混合体の水分の除去といった工程を経ることなしに、サイクロデキストリンと親油性物質（カボス精油）を混合させ、安定的な混合体を得ることができる。
本発明は、この混合体を水溶液に溶解させることにより、カボス精油を水溶液中に均一的に分散させる方法である。
【０００６】
カボスは独特の香気を持つ香酸柑橘で、その特徴を出すために果皮から抽出した精油を利用するが、油性であるため水溶性のものへ均一に添加、混和するためにはモノグリセライドなど乳化剤を用いる必要がある。しかし食品の分野においては、モノグリセライド等の乳化剤は消費者の健康志向から敬遠される傾向にあり、サイクロデキストリンは澱粉から作られる天然物であるため、消費者の健康志向をかなえるものである。
【０００７】
また、用いるサイクロデキストリンについては、α、β、γの三種類で検討した。αおよびγは溶解度は高いが、αはγに比べ内径が小さいため、カボス精油を混合させるためにはより多くのサイクロデキストリンが必要となる。γはα、βに比べ内径が最も大きく、カボス精油を混合させる上で有効であると考えられた。しかし、γは高価なため産業上の利用に際しては有効であるとは言えない。また、α、γは食品へ利用する際、食品添加物としての安全性が保障されていない。そこで、α、γに比べ溶解度は低くいが、熱に対して安定した性質を有し、かつ、食品添加物としての安全性が保障されているβを用いることとした。βは熱に安定であることから、混合したカボス精油を安定的に保持し、香気成分や機能性成分を安定的に水溶性のものへ付与することができる。
【０００８】
本方法によれば、特殊な設備や数段階にわたる作業工程を必要とせず、また、天然物で食品添加物としても安全性が保障されたβ−サイクロデキストリンを用いることにより、付加価値の高い加工用素材や加工食品を提供する。また、β−サイクロデキストリンは安価であるため、経済的にも有利である。
【０００９】
【発明の実施形態】
カボス精油をβ−サイクロデキストリンに取り込ませる前に、カボス精油とアルコール（９９．５％エチルアルコール）を１：１の割合で混合する。アルコールと混合したカボス精油をβ−サイクロデキストリンに添加し、数分間かく拌することにより粉末状のカボス精油混合体が形成される。
【００１０】
β−サイクロデキストリンに対するカボス精油の添加割合は、２０％まではカボス精油が分離せずに混和する。しかし、かく拌しても湿った状態のままで使いにくく、水溶液等に添加してもすぐに精油が分離してしまう。添加割合を４％まで下げると、湿り気も少なくなり利用しやすくなる。２％では、元のβ−サイクロデキストリンとほぼ同様の粉体となり、より利用しやすい状態となる。このことより、β−サイクロデキストリンに対するカボス精油の添加割合は２〜４％とした。
【００１１】
【実施例】カボスアイスクリーム
アイスクリームミックス１リットルに対して、カボス精油が０．０５％となるようにカボス精油と混合したサイクロデキストリンを添加、混和する。アイスクリームミックスを作る際に加熱するが、熱によりサイクロデキストリンからカボス精油が放出されるのを避けるために、アイスクリームミックスが冷めてから添加、混和する。
2004267186.tif 000002
(57)【要約】【課題】本発明はタモギ茸の抽出液の抽出効率と体内吸収効率を上げて健康飲料として供するためのタモギ茸健康飲料の製造方法に関するものである。【解決手段】本発明は、タモギ茸を適正時間蒸して裁断後、絞った液体を抽出器に通して成分液を抽出する。これに添加物を添加後、殺菌する工程を行うことを特徴とする。【特許請求の範囲】
【請求項１】
タモギ茸を適正時間蒸して裁断後、絞った液体を抽出器に通して成分液を抽出し、添加物を添加後殺菌する工程を特徴とするタモギ茸健康飲料の製造方法である。
【発明の詳細な説明】
【０００１】
【発明の属する技術分野】
この発明はタモギ茸に対する健康飲料の製造方法に関するものである。
【０００２】
【従来の技術】
従来は原料のキノコ類は熱湯水に入れ、煎じて成分液を抽出させる熱水抽出法であった。
【０００３】
【発明が解決しようとする課題】
従来の製造方法ではいろいろ不都合があった。
イ、  成分液の濃度が低い。
ロ、  成分液の抽出に時間が多く掛かる。
ハ、  成分液の腸内吸収が悪い。
本発明はこれらの欠点を解決する為になされたものである。
【０００４】
【課題を解決するための手段】
本発明は、タモギ茸を適正時間蒸して裁断後、絞った液体を抽出器に通して成分液を抽出する。これに添加物を添加後、殺菌する工程を行うタモギ茸健康飲料の製造方法である。
【０００５】
【発明の実施の形態】
タモギ茸の原料を水洗いと水戻しを行って容器に入れ、蒸して細胞破砕を行う。
そして原料を蒸し容器から取り出して裁断し、遠心分離機で絞った液体を抽出器に通して成分液を抽出する。
【０００６】
【実施例】
以下、本発明の実施例について説明する。
第１工程  タモギ茸の良否を選別した原料を水洗場で水洗い、水戻しを行う。
第２工程  蒸し容器に原料を入れ、加熱させて蒸気が原料に十分回るように適正時間蒸して、細胞破砕を行い、成分液を抽出し易くする。
第３工程  原料を蒸し容器から取り出して、適当な大きさに切断機で裁断する。
第４工程  裁断した原料を遠心分離機に入れて液体を絞り出し、絞った液体を腸内で吸収し易くする為、０．２ミクロンフィルター性能の抽出器に通して更に水分子を微細にした成分液を抽出する。
第５工程  成分液を飲み易くする為に甘味料、香料等添加物を加えた後殺菌をする。
以上のような工程で本発明のタモギ茸原料を蒸す方式の成分液抽出方法は従来の熱水抽出法に比べ、成分液の抽出量が多く抽出されることと抽出時間が４割程度短縮される。
又、健康飲料の生産設備は生産工程として、クリーンルーム（清浄度合ｃｌａｓｓ１０，０００）及び殺菌工程はクリーンブース（清浄度合ｃｌａｓｓ１，０００）を設備し、製品の品質と安全性に十分配慮している。
尚、この製造方法はタモギ茸だけではなくその他のキノコ類及び杉の葉、笹の葉等の木の葉植物類並びに牛、豚、鳥などの動物類や魚類、海藻類についても応用できる。
【０００７】
【発明の効果】
本発明の効果は使用することによって、成分液が高濃度であること及び水分子が微細な為、体内への吸収効率が高いなどにより効能が大変に良い。
又、成分液の高濃度及び抽出時間の短縮によって製品価格が大幅に安価にできる。
(57)【要約】【課題】従来法により製造されたアジの魚醤に比べて低コストで、熟成期間の短い魚醤の製造方法。【解決手段】未利用部分である頭・内臓・骨・ヒレ等を原料とし、原料水分に対して食塩を２・０％、原料重量に対して蛋白質分解酵素を０．１〜０．４％添加した後、２０〜４０℃下で、３０日〜５０日程度の熟成工程を経ることで呈味性の高い魚醤が得られる。【特許請求の範囲】
【請求項１】
タンパク質分解酵素処理を行ったアジ魚醤を製造するに際し、酵素添加量０．１〜０．４％、対水食塩濃度２０％、温度２０〜４０℃の条件下で、アジの未利用部位（頭・内蔵・骨・ヒレ等）を原料に用いることを特徴としたアジ魚醤の製造方法。
【発明の詳細な説明】
【０００１】
【発明の属する技術分野】
本発明は魚醤のタンパク質分解酵素による製造方法に関する。
【０００２】
【従来の技術】
従来の魚醤は、原料魚介類を対水食塩濃度２０％以上で１年〜３年の長期にわたって自己消化分解させ、得られた分解液を火入れ、ろ過して製造する。しかし近年では、タンパク質分解酵素を添加することで分解を促進し、熟成工程の短縮や特有臭の低減を図った製造方法が広く用いられている。
【０００３】
魚醤製造に用いられる原料魚介類は、小型のため加工用途が限られ、特定の時期に大量に獲れる等の理由から市場価値の低いイワシなどの魚種が用いられるのが通常である。これらは、骨やヒレ等を除去することなく、そのまま細断され魚醤製造に用いられている。
【０００４】
しかし、流通しているアジの中でも高級魚として取引されているものを原料として、同製法により魚醤を製造すると、著しく原料コストが高くなるため、実施例がほとんどないのが現状である。
【０００５】
【発明が解決しようとする問題点】
本発明の目的は、従来法のアジ魚醤に比べて、低コストで熟成期間も短いアジ魚醤の製造方法を提供することにある。
【０００６】
【発明の実施形態】
アジのすり身・一夜干し・刺身等の加工処理において、未利用部位の頭・内臓・骨・ヒレ等が大量に排出されているが、一部が堆肥や飼料として利用されている以外はほとんどが廃棄されており、有効に利用されていない。しかし、これらの未利用部位には、依然多くのタンパク資源が含まれているだけでなく、内臓には強いタンパク質分解酵素活性があることが知られている。
【０００７】
そこで、これら未利用部位を原料に用いて特定条件でタンパク質分解酵素を作用させてアジの魚醤を製造したところ、原料コストの大幅な削減と酵素反応の促進によるさらなる熟成期間の短期化が可能であることを見出した。
【０００８】
アジ魚醤の製造方法は以下のとおりである。細断したアジの未利用部位の頭・内臓・骨・ヒレ等を原料とし、タンパク質分解酵素の粉体を０．１〜０．４％量を振りかけてよくかく拌する。その後、原料水分に対して食塩を２０％量添加し、２０〜４０℃で一定期間の熟成工程を経る。その後の火入れ・ろ過工程は一般的な方法を用いる。
【０００９】
添加するタンパク質分解酵素は、エンド型とエキソ型を含み、至適ｐＨ３〜８で、タンパク質原料１ｇ当たり２２００〜２９０００ＩＵ程度の酵素活性を有するものが、分解速度や分解液の呈味性の点から最適である。なお、酵素活性とは、ミルクカゼインを基質とし、ｐＨ７．０、３７℃で６０分間に１００μｇのチロシン相当量のアミノ酸を生成させる酵素量を１ＩＵとするものである。
【００１０】
これらの配合でアジ魚醤を製造すると、原料コストの削減が可能であるだけでなく、熟成期間の短縮も可能となる。例えば、タンパク質分解酵素を添加しない従来法で、魚体全部分を原料に用いたアジ魚醤の熟成期間は１年以上を、また、上記に示した条件で魚体全部分を原料に用いたアジ魚醤の熟成期間は８０日以上を要するのに対して、同条件により未利用部分を原料にしたアジ魚醤では３０日〜５０日程度で熟成工程を終える。（実施例参照）
【００１１】
また、未利用部位を原料としたアジ魚醤は、魚体全部分を原料としたアジ魚醤に比較して、遊離アミノ酸総量はやや少ないものの、遊離アミノ酸パターンは近似しており、官能的評価においても同等品質の製品が得られる。（実施例参照）
【００１２】
【実施例】
頭・内臓・骨・ヒレ部分を原料に用いたアジ魚醤と魚体全部分を原料に用いたアジ魚醤を同条件により製造し、以下に示した各項目について比較した。
【００１３】
アジ魚醤は、対水食塩濃度２０％に調整した原料１０ｋｇにタンパク質分解酵素を２０ｇ添加し仕込みを行った後、１週間毎に攪拌を行い４週目、８週目および１２週目の試料を採取し分析に供した。試料は、もろみをよくかく拌した後、２ｍｍメッシュ相当のザルを沈めて溶出した液を採取し、通常の方法で火入れ・ろ過したものとした。
【００１４】
（１）全窒素量に対するホルモール態窒素量の割合
タンパク質の分解程度の指標となる全窒素量に対するホルモール態窒素量の割合の経時的推移の結果を図１に示した。これによると、頭・内臓・骨・ヒレ部分を用いたアジ魚醤は、魚体全部分を用いたアジ魚醤に比べ、４週目までにアミノ酸の生成が高い割合で進んでいる。このことから、頭・内臓・骨・ヒレ部分を原料に用いることで熟成期間を大幅に短縮できることは明らかである。
2004267187.tif 000002
【００１５】
（３）遊離アミノ酸総量および遊離アミノ酸パターン
遊離アミノ酸総量および遊離アミノ酸パターンを図２、図３に示した。頭・内臓・骨・ヒレ部分を用いたアジ魚醤は、魚体全部分を用いたアジ魚醤に比べ、遊離アミノ酸総量が約２０％少なかったが、遊離アミノ酸パターンは、近似した。
2004267187.tif 000003
2004267187.tif 000004
【００１６】
（３）官能検査
対にした２つの試料に対し、試食順序などの影響を要因としてとらえることのできるシェッフェの一対比較法により、５つの基本味（甘味、塩味、酸味、苦味、うま味）と香りの強さをパネル２６名により比較した結果を表１に示した。有意差がみられたのは塩味のみであり（１％有意水準）、その他の味、香りの強さには有意差がみられなかった。
【００１７】
魚醤の呈味に影響を与える遊離アミノ酸総量は、前述したように頭・内臓・骨・ヒレ部分を用いたアジ魚醤の方が少なかったが、官能的にはほとんど差が認められなかった。
2004267187.tif 000005
【００１８】
【発明の効果】
本発明により、高級アジを用いた魚醤の原料コストの大幅な削減や熟成期間の短縮が図られるだけでなく、これまで未利用であった高級アジの頭・内臓・骨・ヒレ部分の新たな有効活用が図られる。
(57)【要約】【課題】茸と山菜と野菜の栄養豊富な食用紙をつくるのが目的である。【解決手段】茸と山菜と野菜の繊維質を取出し、繋ぎとして、ぬめりのある茸や山菜や野菜からぬめりだけを取出し、ミックスして薄い紙を作り、その紙に肉質のある野菜を煮たりゆがしたりして、つぶし味付けをして、薄く均等に塗って乾燥させて食用紙とした。【選択図】    なし【特許請求の範囲】
【請求項１】
茸と山菜と野菜の繊維と肉質を利用して食用紙としたもの
【発明の詳細な説明】
【００１】
【発明の属する技術分野】
この発明は茸と山菜と野菜の繊維と肉質を利用して食用紙を作ったものである。
【００２】
【従来の技術】
海藻で作った紙状の海苔はあるが、茸と山菜と野菜で出来たのは無い。
【００３】
【発明が解決しようとする課題】
本発明は、従来の海苔に含まれてない別の、茸と山菜と野菜に含まれている栄養と繊維と色彩の豊富さに注目して、海苔に対応した茸と山菜と野菜の食用紙を作るために創意研究をすすめた。最初は野菜を砕いて薄く伸ばして干し乾燥させて、野菜紙を作ってみた。
しかし野菜の繊維は乾燥すると硬くなって、まろやかさが無く、舌触りが悪くてまずいので食用に適さないのが難点だった。
【００４】
【課題を解決するための手段】
本発明は乾燥しても硬くなく、舌触りがよく、旨味の有る、栄養価の高い、茸と山菜と野菜の食用紙を作るために研究をすすめた。
【００５】
【発明の実地の形態】
その欠点をなくす為に、第一段階として葉野菜を砕き、繋ぎとして、とろみの有る野菜から、とろみを取り出し、一緒に入れて均等に薄くのばし、干して乾燥させ野菜紙を作り。第二段階として、茸と山菜と肉野菜（葉野菜以外の全ての野菜）をボイルして味付けをし、マッシュし先に作った野菜紙に均等に単品、又はミックスしたのを薄くのばして塗り、干して乾燥させると、舌ざわりがよく、まろやかで旨味のあるカラフルな茸と山菜と野菜の食用紙が誕生した。
【００６】
【発明の効果】
茸と山菜と野菜はビタミン、ミネラル、カロチン、繊維質、その他の栄養素が豊富に含まれていて健康と美容に欠かせない。又、茸と山菜と野菜の保存した物は、調理に手間がかかる。が食用紙を創ることによって四季を通して、いつでも手軽に簡単に食べることが出来るので、野菜不足になりがちな人々にも、特に育ち盛りで野菜嫌いな子供にも、おにぎりや寿司等アイデア次第で、カラフルで美味しい料理が出来上がるので食卓も楽しく食欲も旺盛になり、腸も豊富な繊維質でいつもきれいに掃除ができ、健康と美容にとっても良く、食品革命をもたらす物である。
(57)【要約】【課題】紙巻タバコの燃焼部に火が点いているときは、火種が露出しているため燃焼部に直接接触することによる火災、火傷の危険な状態にある。【解決手段】紙巻タバコの燃焼部のタバコの葉３と、タバコの葉を固定している紙４を、不燃紙２で覆うように巻きつけることにより、火種の露出が無くなる。また、不燃紙２に穴１を多数開けることによって通気性が良くなり、燃焼中、空気を取り込むことが可能となるので従来の燃焼効果を妨げることが無い。燃焼部３の先端にドーナツ型に切り抜いた不燃紙５を接着することにより火の粉と燃え後の灰の落下を防ぐことができる。【選択図】    図３
2004267190.tif 000002
【特許請求の範囲】
【請求項１】
不燃紙に小さな穴を多数空け、燃焼中の通気性を良くして、紙巻タバコの燃焼部を覆うように筒状に巻きつけて固定することにより、火種が外部に直接露出することが無くなるようにした紙巻タバコの防火、防災具。
【請求項２】
不燃紙をドーナツ型に切り抜いて、紙巻タバコ燃焼部の先端に貼り付けることにより火の粉と灰の落下を防止するようにした紙巻タバコの防災具。
【発明の詳細な説明】
【０００１】
【発明の属する技術分野】
本発明は、不燃紙に小さい穴を多数空け通気性を良くして、紙巻タバコ燃焼部を覆うように筒状に巻きつけて固定する。又、燃焼部の先端にドーナツ型に切り抜いた不燃紙を接着した。
【０００２】
【従来の技術】
従来、紙巻タバコ燃焼部に火が点いているときは、火種が露出しているために、不始末による火災及び火傷等危険な状態にあった。
【０００３】
【発明の実施の形態】
本発明は、通気性が良くなるように穴１が多数空いた不燃紙２で、燃焼部のタバコの葉３とタバコの葉を固定している紙４を上から覆うように筒状に巻きつける。また、燃焼部の先端にドーナツ型に切り抜いた不燃紙５を接着したものである。
【０００４】
【発明の効果】
紙巻タバコ燃焼時の不始末による火災件数を減少させることができるだけでなく、火の粉の飛散による火傷、衣類の焦がし等の防止ができる。また、不燃紙に多数にあけた穴は、燃焼後空洞となり空気を取り込むことが可能となるので、従来の燃焼効果を妨げることが無い。燃焼部の先端に接着するドーナツ型に切り抜いた不燃紙は、火の粉と燃え後の灰の落下を防ぎ防災することができる。
【図面の簡単な説明】
【図１】不燃紙の平面図である。
【図２】紙巻タバコ燃焼中の断面図である。
【図３】展開図である。
【符号の説明】
１  穴
２  不燃紙
３  燃焼部のタバコの葉
４  タバコの葉を固定している紙
５  ドーナツ型に切り抜いた不燃紙
６  火種
７  火の粉と灰
８  フィルター
【図１】
2004267190.tif 000003
【図２】
2004267190.tif 000004
【図３】
2004267190.tif 000005
(57)【要約】【課題】本発明は、使いすてカイロに関し、従来の方法では指先まで暖めることが出来なかった形状を変えることによって手袋の指先に装着できるように考案された使いすてカイロをを提供することを目的とする。【解決手段】請求項１に係わる発明は、使いすてカイロを親指と親指以外の４本の指用に分けて、一本ずつの指にそれぞれ合うように考案された形状に変えることにより手袋の５本の指先全部を暖めることができるようにしたことを特徴とする。また、いろいろな大きさの手袋にも合うように４本の指用の使いすてカイロに切取線を入れて一本ずつに切り離して装着できることを特徴とする。【選択図】    図４
2004267575.tif 000002
【特許請求の範囲】
【請求項１】
指先の保温が必要とされる手袋において、親指先と他の４本に分かれていることを特徴とした使いすてカイロ。
【発明の詳細な説明】
【０００１】
【発明の属する技術分野】
本発明は、手袋用に親指と他の４本の指に合うように分かれ、なおかつ貼り付けができるように考案された使いすてカイロに関する。
【０００２】
【従来の技術】
従来の使いすてカイロは手袋の甲に袋を作りその中に入れるタイプのものであった。
【０００３】
【図１】【図２】は、従来の使いすてカイロの手袋への装着方法を示している。
【図１】１は、手袋本体であり、３は、手袋１の甲部分に作られたポケットである。２は、使いすてカイロである。
【図２】２の使いすてカイロを、３のポケットに入れて手の甲を暖める。
【０００４】
【発明が解決しようとする課題】
しかしながら、上記のごとき従来例にあっては、手の甲部分は暖まっても、一番暖めたい指先を暖めることが難しい。従来の使いすてカイロの形状では、指先に装着することはできない。
【０００５】
本発明は、斯かる実情により案出されたもので、使いすてカイロの形状を指に合うように考案し指先を暖めることのできる手袋を提供することを目的とする。
【０００６】
【課題を解決するための手段】
斯かる目的を達成するため、請求項１に係わる発明は、まず、親指と他の４本の指先用に使いすてカイロを分けて、なおかつ、４本の指に合うように形状を考案し指先を暖められることを特徴とする。
【０００７】
【実施例】
以下、本発明の実施形態を図面に基づき説明する。
【０００８】
【図３】【図４】は、請求項１に係わる使いすてカイロ実施形態を示し、図中、１は、手袋本体、４は、親指用に形状を考案された使いすてカイロである。５は、親指以外の４本の指に合うように形状を考案された使いすてカイロである。
【０００９】
【図３】上記親指用使いすてカイロ４は、親指の形状に合うように考案されている。また、５は、親指以外の４本の指に合うように、なおかつ１本づつ装着する手間を省くために４本が一体式になるよう考案されている。
【図４】本発明の手袋への装着方法を示している。親指用使いすてカイロ４を、親指の甲側に貼り付ける。他の４本用の使いすてカイロ５を、親指以外の４本の指に合うように、貼り付ける。
【００１０】
この様に５本の指の指先に使いすてカイロを装着することにより指先が温かくなり冬季でも快適に過ごすことが可能となった。
【００１１】
【図５】は、親指以外の４本に装着する使いすてカイロ５が、手袋のサイズによって装着しにくい場合を考慮して点線部分で切り離しができるようにして、サイズが大きい手袋にも小さな手袋にも装着できるように考案された切り取り線を入れた使いすてカイロ６である。
【００１２】
【発明の効果】
以上述べたように、請求項１に係わる手袋用使いすてカイロによれば、従来に比し、指先を暖めることが可能になるとともにさまざまな大きさの手袋にも装着可能となった。
【図面の簡単な説明】
【図１】従来の使いすてカイロを手袋に装着する方法を示した説明図である。
【図２】従来の使いすてカイロを手袋に装着する方法を示した説明図である。
【図３】本発明の手袋用使いすてカイロの形状を示した説明図である。
【図４】本発明の手袋用使いすてカイロを手袋に装着する方法を示した説明図である。
【図５】本発明の使いすてカイロが、さまざまな大きさの手袋にも装着可能にするため考案された切り取り線を入れた手袋用使いすてカイロを示した説明図である。
【符号の説明】
１  手袋本体
２  従来の使いすてカイロ
３  カイロを入れるために手袋に施されたポケット
４  親指用使いすてカイロ
５  親指以外の４本の指用使いすてカイロ
６  切り取り線を入れた４本の指用使いすてカイロ
【図１】
2004267575.tif 000003
【図２】
2004267575.tif 000004
【図３】
2004267575.tif 000005
【図４】
2004267575.tif 000006
【図５】
2004267575.tif 000007
(57)【要約】〔課題〕歯周病の予防と治療に対して歯肉細胞の活性化と歯垢生成・付着を防止し、しかも簡単な器具を提供する。〔解決手段〕課題の解決に必要な各種機能性を持つトルマリン、籾殻灰Ａｇイオン含有珪酸アルミノガラスなどの超微粉末含弧状の可塑性軟質レジンを上下歯槽堤粘膜と上下頬粘膜又は上下口唇粘膜との間に主として夜間睡眠中に挿入することを特徴とする。【選択図】図１
2004267731.tif 000002
【特許請求の範囲】
【請求項１】
歯肉ケアを目的に上下歯槽堤粘膜と上下頬粘膜又は上下口唇粘膜との間に挿入する帯状〜弧状の長さ１２０ｍｍ以下，幅１０ｍｍ以下、厚さ１ｍｍ以下の可塑性レジン帯
【請求項２】
本器具は。５０ミクロンメーター以下のトルマリン粉末、籾殻灰、Ａｇイオン含有珪酸アルミナガラス粉末を含むレジン材料、またはそれらの１種類を含む材料
【請求項３】
着脱可能な入れ歯のレジン床またはステンレス床の下部が５０ミクロンメーター以下のトルマリン，籾殻灰，Ａｇイオン含有珪酸アルミノガラス粉末を含むか、またはそれらの１種類を含むか並びにコーテングされた器具
【発明の詳細な説明】
【００１】
〔発明の属する技術分野〕
この発明は、人口の９０％以上が罹病していると云われる歯周病の治療・予防のための器具で，機能性無機材料の特性を歯科医療器具に応用したもので，その利用範囲が極めて広い医療技術分野に属する。
【００２】
〔従来の技術〕
現在の歯周病の予防・治療は専らブラシなどの器具と薬品を使用した歯磨き並びに歯石除去などの歯科医療によっている。
【００３】
〔非特許文献１〕
岡本明太著「活用・トルマリン鉱石」ラコス株式会社  ２００２年１月
【００４】
〔発明が解決しようとする課題〕
歯周病の予防と治療に関して歯肉細胞の活性化と歯垢生成・付着を防止し、しかも簡単な器具で解決しようとするものである。
【００５】
〔課題を解決するための手段〕
細胞の活性化と歯垢防止には下記の材料を使用する。
トルマリン：マイナスイオン発生による細胞の活性化、唾液の電気分解能による界面活性化作用、微生物集合体の難集合化と除去、唾液中の水分子集団の縮小化、遠赤外線放射による血行の促進化など。
籾殻灰：有機物由来の比表面積５０平方米／グラム程度の超微粒子からなる非晶質珪酸とカーボンからなり、珪酸は唾液中のＣａイオンの吸着反応、カーボンは遠赤外線放射体として役立つ。また、これらは、いずれも吸着能を有し細菌の吸着と口臭防止に寄与する。Ａｇ含有珪酸アルミノガラス：Ａｇイオンの抗菌性能、珪酸アルミノガラスの唾液の清浄化、歯垢成分の吸着と口臭防止などに役立つ。
【００６】
〔発明の実施の形態〕
本器具はメトキシエチレン無水マレイン酸重合体塩などからなる歯科用レジンを使用する。トルマリンは、単結晶を５０マイクロメーター以下とし、器具重量に対して５％以下とする。籾殻灰は非晶質珪酸７０〜８０％、非晶質カーボン２０〜３０％のもので、器具全体に対して３％以下が望ましい。
Ａｇイオン含有珪酸アルミノガラスは、一般陶器釉薬組成のもので、Ａｇイオンの含有は１％以下である。また、器具全体に対する重量は１％以下である。
上記各種粉末を混在したレジンを長さ１２０ｍｍ、幅１０ｍｍ、厚さ１ｍｍ程度の帯び状〜弧状とする。本器具は体温付近の温度効果により可塑性が良好となるため顎堤粘膜と口唇粘膜間に容易に装着可能で、その適当な大きさと相俟って使用者の顎型に容易に適合し、異物挿入感が非常に少なく、また外れることが少ないのが最大の特徴である。したがって医療関係者も処置が不必要である。
器具の使用は、基本的には唾液の分泌が少ない就寝中の夜間に使用し，入れ歯の脱着には関係がなく使用可能である。
使用後は、洗浄後数回使用することが可能である。使用回数は個人差によるが３回程度が望ましい。
【００７】
〔発明の効果〕
器具使用前後の事例
５０才、女性      使用期間１０日間    下顎に使用
下顎歯肉全般が赤紫色とくに両臼歯部歯肉全体色調が悪く、臼歯周辺のポケットが深く出血がある。本器具を就寝中のみ１０日使用後は歯肉全体が健康色に復帰し口臭も無くなった。
６５才、男性          使用期間就寝中のみ１０日間上下顎に使用
下顎２箇所入れ歯、上顎１箇所入れ歯。  器具使用時には入れ歯を外す。
全体的に歯周病の影響により歯肉が軟弱であり、歯髄堤か吸収されている。
本器具使用後は歯肉が淡紅色となり硬くなった。口臭も消失した。
装着使用後は唾液の粘性が極端に低下した。
【図面の簡単な説明】
【図１】器具の平面及び上面図である。
【図１】
2004267731.tif 000003
(57)【要約】【課題】包丁は、ほとんどが裸の状態で無造作に放置されており、不注意による怪我や事故が多く発生している。又、凶器として事件に使用されたり非常に危険であった。この状態を改善するために包丁ケース（１）を設け、その下部にプッシュロック錠（２）を取り付けた事により、不慮の事故や事件を減少し調理等に使用時以外には、包丁を取り出せないようにしたものを提供する。【解決手段】包丁ケース（１）外側下部に、プッシュロック錠（２）を取り付け、包丁刃差し込み口（３）を設けることを特徴とする。【選択図】図１
2004267734.tif 000002
【特許請求の範囲】
【請求項１】
包丁ケース（１）外側下部に、プッシュロック錠（２）を取り付け、包丁刃差し込み口（３）を設けたセキュリティー包丁ケース。
【発明の詳細な説明】
【０００１】
【産業上の利用分野】
この発明は、包丁刃を保存するために包丁ケース（１）を設け、容易に引き抜いたり抜け落ちたりしないために外側下部にプッシュロック錠（２）を取り付け、包丁刃差し込み口（３）を設けた包丁ケース（１）に関するものである。
【０００２】
【従来の技術】
従来より包丁は、ほとんど裸の状態のまま無造作に放置してあるか、キッチンシステムの扉裏側の包丁収納ケースに収め保存していた。
【０００３】
【発明が解決しょうとする課題】
これには次のような欠点があった。
（イ）包丁を紙箱に納め、刃先または刃の部分全体を覆った状態でビニールカバーを付けて販売されているが見た目にも脅威であり、容易に取り出す事もでき危険度は少さくなかった。
（ロ）家庭等においては、包丁が昼夜裸の状態のまま放置してあったり、食器乾燥機の中に置いてあったり、キッチンシステムの扉裏側の包丁収納ケース（フックが飛び出し引き抜けないものも有る）に何本も差し込んであり、この無防備の状態で幼児から大人まで、不注意による事故が発生したり、また、凶器として事件に使用されたり非常に危険な状態で有った。
本発明は、これらの欠点を除くためになされたものである。
【０００４】
【課題を解決するための手段】
包丁の形は用途により千差万別であり、その用途に合わせた形状の物（木材・プラスチック・金属・布・皮等の材料にて）を適用し、平面的な物から立体的、斬新なデザインの物まで各種素材により多種多様に行なうことができ、１本物から複数本納めることのできる形状のケースまで対応できる。
包丁ケース（１）の本体下部にプッシュロック錠（２）を取り付け包丁刃差し込み口（３）を設けた。
本発明は、以上のような構成よりなるセキュリティー包丁ケースである。
【０００５】
【発明の実施の形態】
以下、本発明の実施例について説明する。
（イ）包丁ケース（１）の本体下部の異型部分にプッシュロック錠（３）を付属する。
（ロ）包丁刃差し込み口（３）は異型部分も含む。
本発明は以上のような構造で、これを使用する時は、包丁ケース（１）に包丁刃が納まるように根元まで差し込み、プッシュロック錠（２）ボタンを親指で押すことにより、ボタンは凹み、内部のフック飛び出し刃元後部手前にそのフックが掛かり、それがストッパーとなり包丁を引き抜く事ができなくなる。
包丁を使用する時には、再度プッシュロック錠（２）ボタンを親指で押すことでボタンは凸になり、内部フックが凹み包丁を引き抜く事ができる。
昼夜、長時間使用しない場合には、もう一度プッシュロック錠（２）ボタンを親指で押すことにより、ボタンは凹み内部のフックが飛び出し施錠する事で鍵が掛かりボタンを押しても包丁を引き抜く事はできなくなり、包丁を使用する時にはキーを差し込み鍵を解除すれば内部フックが凹み包丁を引き抜く事ができ使用する事ができる。
複数本セットにした包丁ケースは、プッシュロック錠（２）ボタン各１度の行為で全ての包丁に作用し、ロック、解除施錠する事ができ、また単数物から複数本セットの物までダイヤル方式やキーレス方式を用いて、ロック、解除、施錠、をワンタッチで行う事もできる。
【０００６】
【発明の効果】
これには次のような効果がある。
（イ）包丁ケースにプッシュロック錠（２）を取り付けた事により、そのボタンを押す毎に、ロック、ロック解除、を繰り返し、ロックする事で包丁を引っぱっても抜けなくなり、幼児から大人まで不注意による怪我、事故等を予防でき、昼夜長時間放置しておく場合等には、施錠しておく事で包丁を引き抜く事ができなくなるので安心して置いておく事ができる。
（ロ）包丁ケースのスタイルを今までの物とは違う立体的、平面的、斬新なデザイン（単数、複数本入れのケース）で各種素材により多種多様に対応でき楽しい食卓とする事ができる。
（ハ）プッシュロック錠（２）ボタンを取り付けた包丁ケース（１）を使用する事で安全性が向上し衛生上も機能上も豊かな料理ライフが可能となる。
本発明は、これらの効果をもたらすものである。
【図面の簡単な説明】
【図１】本発明の斜視図である。
【図２】本発明の裏面斜視図である。
【図３】本発明の分解斜視図である。
【図４】本発明の断面図である。
【符号の説明】
１  包丁ケース
２  プッシュロック錠
３  包丁差し込み口
【図１】
2004267734.tif 000003
【図２】
2004267734.tif 000004
【図３】
2004267734.tif 000005
【図４】
2004267734.tif 000006
(57)【要約】【課題】快眠しやすい枕を提供する。【解決手段】枕の形状を凹型とし、睡眠時仰向きの時は中央部の低い面に頭を載せ、左右横向きの時はそれぞれ左右の高い面に頭を載せるものとし、該、高い面に耳を挿入するための凹み部を設うけた凹型枕とする。【選択図】図１
2004267733.tif 000002
【特許請求の範囲】
【請求項１】
枕の形状を凹型とし、睡眠時仰向きの時は中央部の低い面に頭を載せ、左右横向きの時はそれぞれ左右の高い面に頭を載せるものとし、該、高い面に耳を挿入するための凹み部を設うけた凹型枕。
【発明の詳細な説明】
【０００１】
【発明の属する技術分野】
本発明は睡眠時に用いる枕に関する。
【０００２】
【従来の技術】
従来の枕は、クッション性を最重要視してきたきらいがあるが、快眠枕とするにはそれには限界があり、改善すべきは枕の形状と横向きでの睡眠時の耳の圧迫を解放することに尽きる。
【０００３】
【発明が解決しようとする課題】
本発明は以上のような従来の欠点に鑑み、快眠することの出来る枕を提供することを目的としている。
【０００４】
本発明前記ならびにその他の目的と新規な特徴は、次の説明を添付図面と照らし合わせて読むと、より完全に明らかになるであろう。ただし、図面はもっぱら解説のためのものであって、本発明の技術的範囲を限定するものではない。
【０００５】
【課題を解決するための手段】
上記目的を達成するために本発明は、枕の形状を凹型とし、睡眠時仰向きの時は中央部の低い面に頭を載せ、左右横向きの時はそれぞれ左右の高い面に頭を載せるものとし、該、高い面に耳を挿入するための凹み部を設うけた凹型枕とする。
【０００６】
【発明の実施の形態】
以下、図面に示す実施の形態により本発明を詳細に説明する。
枕の形状を凹型とする理由は、睡眠時の寝姿としては仰向きの状態から左右の横向き状態に寝返りを繰り返すのが一般的であり、仰向きの時の枕の高さは低い方が良く、横向きの時は高い方が良いので、枕もそれに合わせるものとすると凹型枕となる。
【０００７】
枕の形状を凹型に保持することの出来る材質を用い、頭部と接する上面にはクッション性材を被うものとする。そのクッション材が吸水性の良好なものならば、そのままで良いが、スポンヂ材等の吸水性の無いものならば、さらに、その表面を吸水性の良い、綿布や毛糸布材等で被い、汗による湿気を防止する。
【０００８】
枕を凹型に保持する材質として、木材、発泡材、鋼板、合成樹脂材、紙材等があるが限定しない。又、クッション性材としては、多孔質のスポンヂ、綿、複数の巻きバネを用いる等がある。
【０００９】
枕の左右の高い面に設うける耳用の凹み部は、耳を挿入し頭の圧力を避けるためのものであり、その形状は大体が楕円形とし、深さは３〜５ｃｍ程度あればよい。又、凹み部を穴として貫通してもよくその効果は同じである。
【００１０】
凹型枕は、その使用する人の大きさによって、その高さ寸法を大、中、小程度用意すれば大人用、子供用各自の好みに応じることが出来る。
【００１１】
【発明の効果】
以上の説明から明らかなように本発明は、睡眠時の形態を考慮し、仰向きでの状態や、左右横向きの状態のいずれにも対応され、かつ枕の左右の耳部に凹み部を設うける事により、頭による耳の圧迫が無くなるので快眠枕となる。
【図面の簡単な説明】
【図１】凹型枕の斜視図である。
【図２】仰向き状態で使用中の凹型枕の平面図である。
【図３】横向き状態で使用中の凹型枕の断面図である。
【符号の説明】
１は凹型枕、２は耳挿入用凹み部、３は凹型枕の低い面、４は凹型枕の高い面
【図１】
2004267733.tif 000003
【図２】
2004267733.tif 000004
【図３】
2004267733.tif 000005
(57)【要約】【目的】この発明は、針自体に糸切羽を設けることによって、簡単に糸を切ることができるように工夫した、糸切羽付き針に関するものである。【構成】針本体（１）の最端後部に糸挿入口（３）を設け、その彎曲部に糸切羽（４）を設けたことを特徴とする糸切羽付き針。【選択図】図１
2004267735.tif 000002
【特許請求の範囲】
【請求項１】
針本体（１）の最端後部に糸挿入口（３）を設け、その彎局部に糸切刃（４）を設けたことを特徴とする糸切刃付き針。
【発明の詳細な説明】
この発明は、針自体に糸切刃を設けることによって、糸を簡単に切れるように工夫した糸切刃付き針に関するものである。
元来、針は糸を通して縫いつけ、用を足したあとの糸は、ハサミ等の刃物を使って切り取るというのが、普遍的な行為であり、それ以外の何物でもなかった。
本発明はこうした従来からの固定観念を打破し、全く新しい発想から生まれたものである。
よしや、旅行中とか仕事中にボタンがとれた、ポケットが綻んだ、という様な不祥事に出喰わした場合、その場で、針仕事をすることができるという人は、まずいない。針がない、糸がない、切るものがないという訳である。
従って、こういう不測の事態に備えて、本発明品を財布等に常備しておけば、いつ何時でも、あわてふためくことはない。初めから糸を通したものを携帯しておけば、その効果は絶大なものとなる。
その構成は、図１に示すように、至って簡単である。
針本体（１）の後部には糸通穴（２）を設け、その最端後部には糸挿入口（３）を設定し、その奥の彎曲部には糸切刃（４）を設ける訳であるが、いま本品を使用すると仮定するならば、糸挿入口（３）に糸を挿入し、糸を奥に向かって押しつければ、糸は簡単に切れてしまう。
なお、他の方法でも、目的を達することができる。
そのひとつは、図２に示すように、針本体（１）の適宜部に糸挿入口（５）を設け、その下部には平面部（６）を設定し、その連接の凹部分には糸切刃（７）を設けることによって構成された、実施例１の発明品である。
いまひとつは、図３に示すように、針本体（１）の先端部にヤスリのような縦横凹凸糸切断刃（８）を設けることによって構成された、実施例２の発明品である。
糸を切るという点においては、以上の二点も、同じ効果があるが、生産する上においても、機能的な面においても、最端後部に糸切刃（４）を設けた発明品の方が、より効果的であることは疑う余地のない事実である。
【図面の簡単な説明】
【図１】本発明の斜視図
【図２】本発明の実施例１の斜視図
【図３】本発明の実施例２の斜視図
【符号の説明】
１は針本体
２は糸通穴
３は糸挿入口
４は糸切刃
５は糸挿入口
６は平面部
７は糸切刃
８は縦横凹凸糸切断刃
【図１】
2004267735.tif 000003
【図２】
2004267735.tif 000004
【図３】
2004267735.tif 000005
(57)【要約】【課  題】従来の防虫カバーは袋の襟首部分と裾部分の開口部が開いたままである。これでは虫が袋内に侵入し、洋服を喰い荒らすので虫が袋内に侵入できないようにする必要がある。【解決手段】袋の襟首部分と裾部分の開口部を開閉できるようにし閉じている間は虫が容易に袋内に侵入できないようにした。【選択図】  図１
2004267712.tif 000002
【特許請求の範囲】
【請求項１】
ハンガーを通す袋の襟首部分と裾部分の開口部を開閉できるようにして閉じている間は袋内に虫の侵入を防ぐ洋服の防虫袋。
【発明の詳細な説明】
【０００１】
【発明の属する技術分野】
本発明は、洋服を虫喰いの害から守るための防虫袋に関するものである。
【０００２】
【従来の技術】
主にクリーニング業界と防虫剤メーカーより市販されているポリエチレン製フィルムとポリエチレン製不織布（以下「袋」という）とで作られた袋で防虫を謳った袋がある。この袋はハンガーを出し入れする襟首部分と裾部分が開いたままであり閉じられる構造になっていない。
【０００３】
【発明が解決しようとする課題】
虫は防虫剤の効き目が無くなれば袋上下の開口部から侵入し洋服は虫に喰われてしまうという問題点がある。
【０００４】
【課題を解決するための手段】
本発明はハンガーを通す袋の襟首部分と裾部分の開口部を開閉できるようにして閉じている間は袋内に虫の侵入を防ぐ洋服の防虫袋を提供することにより、上記課題を解決したものである。
【０００５】
【実施例】
イ）本発明の洋服の防虫袋は、従来の袋では製造の過程で捨てられている両肩上の三角形の部分を利用し、図１に示されるように袋の製造段階で襟首部分の左右に帯状の紐を付け、その紐でハンガーフックの芯の部分を左右からクルッと巻き結ぶ。
【０００６】
ロ）イ）の構造から襟首部分の開口部は隙間なく閉じることができる。洋服を出す時は、結んだ紐をほどくと出すことができる。
【０００７】
ハ）イ）とは別方法として図２に示されるように袋の製造段階でハンガーフックを通す襟首部分の片側に着脱できる粘着剤を塗り、その表面にシールを張り作業の際はシールをはがし開口部を貼り合わせて塞ぐ、このような貼り合わせ式と図３に示される折蓋式の二つの方式がある。
【０００８】
ニ）ハ）の構造から開口部はほとんど隙間なく閉じることができ、洋服を袋から出すときは貼り合わされた所をはがして出す。
【０００９】
ホ）裾開口部はチャック、ジッパー又はシール付粘着剤等を用いて開閉する。
【００１０】
ヘ）袋内側に防虫剤、防かび剤、乾燥剤を入れる内ポケットをつける。
【００１１】
ト）袋の素材はポリエチレン製フィルムと通気をはかるためポリエチレン製不織布を併用する。以上で作業は完了する。
【００１２】
【発明の効果】
以上のように請求項１の発明によれば、ハンガーを通す袋の襟首部分と裾部分の開口部を開閉できることにより、閉じている間は虫は外部から容易には入れないので、袋内の洋服はこれまで以上に虫喰いの害から保護される。
【図面の簡単な説明】
【図１】本発明に係る洋服の防虫袋の構成を示す外観図である。
【図２】洋服の防虫袋のハンガーフック部分の貼り合わせ式の斜視図である。
【図３】洋服の防虫袋のハンガーフック部分の折蓋式の斜視図である。
【符号の説明】
１．ハンガー
２．ヒモ
３．内ポケット
４．防虫袋
５．チャック
６．シール
【図１】
2004267712.tif 000003
【図２】
2004267712.tif 000004
【図３】
2004267712.tif 000005
(57)【要約】【課題】従来は熱くなった鍋の蓋の置き方や置く場所に大変苦労していた。そこで，安全かつ容易に熱くなった鍋の蓋を置くことができる容器を提供する。【解決方法】菜箸４やおたま５を格納できる容器２に，手が容易に抜けられる空間１を設けることにより，鍋の蓋３を安全かつ容易に置けるようにする。【選択図】  図２
2004267717.tif 000002
【特許請求の範囲】
【請求項１】
容器に手を抜ける空間を設けることよって，熱くなった鍋の蓋を安全かつ容易に置けるようにした鍋の蓋を置ける容器
【発明の詳細な説明】
【０００１】
【発明に属する技術分野】
この発明は鍋の蓋を置けるように改良した容器に関するものである。
【０００２】
【従来の技術】
従来は，菜箸やおたま等を格納できる容器に，鍋の蓋を置けるような物はなかった。
【０００３】
【発明が解決しようとする課題】
熱くなった鍋の蓋を置くとき，どこに置いて良いのか，また熱くなった鍋の蓋をそのまま置くと，食卓が蓋についた水蒸気等で濡れてしまうし，蓋を逆さにして置こうとすると，蓋と食卓の間に手をはさんだり，熱い鍋の蓋に触れるおそれもあり危険であった。本発明は，この課題を解消するためになされたものである。
【０００４】
【問題を解決するための手段】
容器に手が容易に抜くことができる空間をつくることにより，安全かつ容易に鍋の蓋を置くことができるようにした。また，容器本来の役割としての菜箸やおたま等を格納できるようになっている。
【０００５】
【発明の効果】
菜箸やおたまを格納できる容器に，鍋の蓋を置けるようにすることにより，鍋の蓋の置き方や置き場所に苦慮することがなくなる。しかも，菜箸やおたま等も格納できるので，食卓を広く使用できる。
【図面の簡単な説明】
【図１】本発明の斜視図である。
【図２】本発明の使用中の断面図である。
【符号の説明】
１は手を容易に抜くことができる空間
２は菜箸やおたま等を置ける容器の部分
３は鍋の蓋
４は菜箸
５はおたま
【図１】
2004267717.tif 000003
【図２】
2004267717.tif 000004
(57)【要約】      （修正有）【課題】製造段階ヘッドの姿勢を安定させ切削加工、組み立て作業を正確にし、また梱包及び保管のスペースを節約でき、さらに、使用者に充分な情報を提供できるパークゴルフクラブの提供。【解決手段】パークゴルフクラブのヘッドに於いてフェイスを装着した打球平面と打球平面と平行な第二平面を設け、第二平面には金属板又はプラスティック板のカバーを装着し、カバーにはクラブの仕様他に関する情報を表示する。【選択図】図１
2004267720.tif 000002
【特許請求の範囲】
【請求項１】
シャフトとヘッドからなるパークゴルフクラブに於いてヘッドの本体は木質で、硬質のフェイスを装着した打球平面、打球平面と平行な金属又はプラスティックの板を装着した第二平面と両面を繋ぐ平面乃至自由曲面で構成されたことを特徴とするクラブ。
【発明の詳細な説明】
【０００１】
【産業上の利用分野】
本発明はパークゴルフ用クラブに関する。
【０００２】
【従来の技術】
パークゴルフクラブは国際パークゴルフ協会の規則に従って設計されている、即ちヘッド本体は木質で打球面はカーボン等強度と反発力の大きいフェイスが装着され、ヘッドのほぼ中央にはカーボン等で作られたシャフトが嵌合されている。底面は土石と擦動することによる摩耗を防ぐ為に金属板が装着され、打球面の反対側にはバックウェイトが装着されている。形状は打球面が平面で底面は平面と円筒面で有り、他の部分は自由曲面で覆われている、また木質部には減量の為の空洞が設けられている物もある。
性能的な狙いは適切な重量を保ちながら低重心と高慣性モーメントにしたいから前記底面の金属板、木部の減量穴、バックウェイトはこの目的に添った物である。しかしこの様なヘッドは自由曲面の美しさは有る物の、作業の基準に出来る部分が打球面とシャフト孔のみであるから打球面の切削加工、フェイスのネジ締め付け作業はしっかりした専用ジグを使用しないと姿勢が安定しなかった。
又クラブやクラブの使用法に関する情報は添付書類に示されていて、クラブそのものには表示がなく、消費者の立場に立った情報が充分提供されているとは言えなかった。情報は平面部に表示された物が最もわかりやすい。ソールは平面及び大きなＲの円筒面で構成されているから表示面として利用したいが、下向きの面で見え難いばかりでなく土が付いていることが多く、更に使い込むと摩耗して表示が消えていく傾向にありユーザーを満足させることは難しい。
【０００３】
【発明が解決しようとする課題】
ボールを狙った地点まで飛ばせる性能を持ったクラブを量産性のある方法で製造できるようにする。
正確に狙った地点へボールを飛ばすことが出来るクラブはヘッド打球面のフェイスと穴の位置と角度が正確であること即ち幾何学的な条件が整っていることとヘッドの重さが適正で、同じ重量であれば低重心でシャフト周りの慣性モーメントが大きい方がよい、この様なクラブを誤差を少なく製造する方法を提供する。
ヘッドの表面は、打球面が平面、底板が円筒面及びごく一部平面で、その他の表面は自由曲面である。基準に出来るのは打球面とシャフト孔のみであるから基準に出来る平面を一面設けると姿勢が決まって切削、組立共に安定して行うことが出来る。
又使用者に充分な情報を与えることも製造者の義務であるから情報を適切なサイズの文字や模様で表示出来るスペースを設ける。
【０００４】
【課題を解決する手段】
打球平面と適切な距離離れ打球平面と平行な第二平面を設けてこの間を平面乃至自由曲面で結んだ形を基本として、本体は木質、打球平面には反発力の高い材料例えばカーボン積層材のフェイスを装着する、第二平面には金属又はプラスティック等の板を装着し錘又はカバーとしてばかりでなく表示面として利用できるようにする。打球平面と第二平面は切削工程、組み立て工程では互いに基準面として利用できるようにする。また前記互いに平行な二平面を有するクラブは収納に際しては姿勢が安定しスペースを節約できる。
【０００５】
【作用】
打球木面を加工するとき又はフェイスを組み立てるときには互いに平行な第二平面で支持して、第二木面を加工又はカバーを組み立てるときは打球木面又はフェイス面で支持出来るので精度良く作業できる。
表示面のカバーを金属で作ると錘として利用できる又シャフト周りの慣性モーメントの増強にも効果がある。
又表示面をこの様にして設けると数ｃｍ２以上  の平面が得られる、この広さは仕様諸元、商品名、社名等品質保証に係わる情報を記載するに充分である、又狙いを換えてデザイン模様を大きく効果的に表示することもできる。
【０００６】
【実施例】図１に基づいて説明すると、グラスファイバー又はカーボン等で作られたシャフト１、とヘッド２、は止まり嵌めでかつ強固に接着されている、ヘッドは木質部３、打球木面４、打球平面を構成するフェイス５、打球木面と平行で反対方向の第二木面６，第二平面を構成するカバー７、底板８，及び木ねじ９，で構成されている。
木質部は合板又は硬い天然木即ち柿材等で作られ、打球平面のフェイスは平面でカーボン又はグラスファイバーの積層材が適している、第二平面のカバーは錘と装飾の目的なら真鍮が良く、装飾と表示が目的ならば薄い真鍮板又はプラスティック板がよい。底板は真鍮板又はアルミ板である。
打球平面及び第二平面は文字通り平面で、底板は平面及び円筒面でその他の表面は自由曲面である。
【０００７】
【発明の効果】本発明は従来は無かった物造り思想に基づいて設計されている、即ち打球木面の精度を高め機能、耐久性共により良くするために加工する時に姿勢が狂わないように第二木面で支持できる。
第二平面は数ｃｍ２以上取れるので、ここに商品名、仕様、材質等の情報を表示しユーザーに伝えることが出来る。
打球平面と第二平面は平行な平面であるから輸送梱包時に姿勢が安定する、更に体育館などで多数のクラブを保管する場合も姿勢が安定するしスペースの節約が出来る。
【図面の簡単な説明】
【図１】は本案のヘッドの構成図で打球平面側と、打球平面と平行で反対側の第二平面側を示す。
【図２】は本案の打球平面側から見たクラブ全体図、で有る。
【符号の説明】シャフト１、ヘッド２、ヘッド木質部３、打球木面４，打球平面を構成するフェイス５、第二木面６，第二平面を構成するカバー７、底板８、木ネジ９。
【図１】
2004267720.tif 000003
【図２】
2004267720.tif 000004